(57)【要約】      （修正有）【課題】キッチンに設置される水の張ったシンクの排水口を塞いでいる蓋において、容易にかつ安全に開くことができるようにする。【解決手段】シンクの排水口を塞ぐ蓋１は、排水口８の開口面積よりも大きい面積を有し、下面を平坦面とした軟質合成樹脂製プレート２の周端部３の一部を肉薄に形成すると共に、プレートの上面に補強用の肉厚部４を十文字状に設けた。溶液を排水するには、水位より充分に長い棒９を、プレートの肉薄な周端部部分に静かに差し込んで間隙を形成する。【選択図】図４
0003230140.tif 000002
【実用新案登録請求の範囲】
【請求項１】
シンクの排水口を塞ぐための蓋であって、排水口（８）の開口面積よりも大きい面積を有し、下面を平坦面とした軟質合成樹脂製プレート（２）の周端部（３）を肉薄に形成したことを特徴とするシンクの排水口用蓋。
【請求項２】
プレート（２）の周端部（３）の一部を肉薄に形成すると共に、プレートの上面に補強用の肉厚部（４）を設けたことを特徴とする請求項１に記載のシンクの排水口用蓋。
【請求項３】
補強用の肉厚部（４）を十文字状に設けたことを特徴とする請求項１又は請求項２に記載のシンクの排水口用蓋。
【考案の詳細な説明】
【技術分野】
【０００１】
本考案は、キッチンに設置されるシンクの排水口を塞ぎ止水するための蓋に関するものである。
【背景技術】
【０００２】
ガスコンロの五徳、レンジフードの油汚れ等を洗浄する場合、湯呑の茶しぶ汚れを漂白する場合、まな板やダスターの消毒に漂白剤を使用する場合等には、洗剤を溶かした水や湯で浸け置き洗いすることがしばしば行われる。
【０００３】
食器類を浸ける程度であるならば洗い桶で済むが、五徳やレンジフードのような大きい物は水もしくは湯を張ったシンクそのものに浸けることが多い。更には、ゴボウや大根のように長い野菜を丸洗いする際にもシンクに水や湯を張ることがある。そして、水や湯をシンクに張る際には排水口を塞ぐための蓋を使用することになるが、シンクに付属品として蓋があればそれを使用することができるものの、蓋がない場合には汎用品や代用品を用意することになる。
【０００４】
しかしながら、汎用品は排水口の口径と合わなければ嵌めることができないし、例えば電子レンジ加熱時に食品用ラップ代わりに使用する蓋の如きは、あくまでも代用品であって使い勝手が悪い。
【０００５】
また、浸け置きが終わって水をシンクから抜く時、蓋を外すために手を入れなければならないが、塩素系漂白剤のように直接手で触れない方が良いとされる洗剤の溶液のような場合には手を入れるのを躊躇うし、また蓋を一度に開けると排水口並びにドレン内の空気が吹き上がって溶液が飛び散り、被服を汚したり、目に入いる危険性もある。
【先行技術文献】
【特許文献】
【０００６】
【特許文献１】実開昭５５−１３６８７５号公報
【特許文献２】実用新案登録第３２１８６５４号公報
【特許文献３】実用新案登録第３０６２２８８号公報
【考案の概要】
【考案が解決しようとする課題】
【０００７】
この特許文献１の考案「流し台等の貯水蓋」は、金属又は硬質プラスチック等で上面を凹成して連成した把手は僅かな指力で排水が行えるとともに、全体が一体成型しているので従来のつまみが離脱することがないとしているが、排水させるために手を水中に入れなければならないので、直接手を触れるのは避けたい塩素系漂白剤溶液のような洗剤を使用している場合には向かず、手袋を着用する手間もかかってくる。
【０００８】
また特許文献２の考案「容易に排水・止水ができる容器」は、底部にレバー操作で排水口を開閉できる容器で、手を汚さずに排水・止水ができるが、大きい物品の浸け置き洗いには使用できない。
【０００９】
更には特許文献３の考案「水跳ね防止プロテクター」は、台所の流し台で跳ね上がった水が人にかからないようにする工夫が凝らされているが、大掛かりな装置で実用的ではない。
【００１０】
よって本考案は、上述した従来技術の欠点、不都合、不満を解消するべく開発されたシンクの排水口用蓋であって、水の張ったシンクの排水口を塞いでいる蓋を容易にかつ安全に開くことができるようにすることを目的とする。
【課題を解決するための手段】
【００１１】
上記課題を解決するため、本考案は、シンクの排水口を塞ぐための蓋であって、排水口の開口面積よりも大きい面積を有し、下面を平坦面とした軟質合成樹脂製プレートの周端部を肉薄に形成したことを特徴とする構成である。
【００１２】
この場合、プレートの周端部の一部を肉薄に形成すると共に、プレートの上面に補強用の肉厚部を設けたことを特徴とする
【００１３】
また、補強用の肉厚部を十文字状に設ける。
【考案の効果】
【００１４】
上記した本考案のシンクの排水口用蓋にあっては、排水口の開口面積よりも大きい面積を有する単一の軟質合成樹脂部材で成形され、排水口の枠に嵌めるのではなく排水口の周囲面に載せて使用するので、想定される最大の排水口の大きさに適応させた規格の製品を大量生産することができる。また、軟質合成樹脂部材であるがために弾性変形が自在であり、シンクに水や湯を張った際に排水口部分で水圧に対してしなって順応して耐え易く、プレートの下面が平坦面となっているので排水口の周囲面に密着し、水密性が確保される。
【００１５】
そして塩素系漂白剤や洗剤溶液が溶け込んでいる水や湯をシンクから抜く場合には、水位より長い棒や箸等をプレートの肉薄に形成した周端部に差し入れれば隙間ができ、プレートに手を触れることなく徐々に少しずつ排水することができるので、水が飛び散ったりすることもなく安全である等、本考案は多くの優れた作用効果を奏する。
【図面の簡単な説明】
【００１６】
【図１】本考案にかかるシンクの排水口用蓋の斜視図である。
【図２】（ａ）はＡ−Ａ線断面図、（ｂ）はＢ−Ｂ線断面図である。
【図３】使用状態を示す斜視図である。
【図４】使用状態を示す斜視図である。
【図５】排水口用蓋の他の実施例を示す平面図である。
【考案を実施するための形態】
【００１７】
本考案のシンクの排水口用蓋１は、軟質合成樹脂製のプレート２の周端部３を肉薄に形成した構成で、プレート２の上面に水圧に耐え得る例えば十文字状の補強用の肉厚部４を設ける。
【実施例】
【００１８】
プレート２は円形のシリコン樹脂製であって、プレート２の周縁である肉厚部４の一か所には例えばフック孔５が延出し、使用後に乾燥させるための吊り下げ部分となっている。
【００１９】
図３は本考案のシンクの排水口用蓋１をキッチンに設置されるシンク６に設けられた凹部７内に開設された排水口８を塞いでいる状態を示す。
【００２０】
即ち、浸け置き洗いの手順の一例を述べるならば、先ずシンク６の凹部７の排水口８に嵌め込められた菊割れ蓋やごみ受けざるを外し、排水口８上に排水口８を覆って塞いでいる状態で本考案のシンクの排水口用蓋１をのせる。これが図３の状態である。
【００２１】
次いでシンク６内に浸け置き洗いすべきもの、例えば五徳やレンジフードを置き、しかるべき洗剤や漂白剤を入れ、五徳等が浸かる水位まで水或いは湯を溜め、所要時間待機する。
【００２２】
洗浄が達成されたならば水或いは湯を抜くのであるが、肌に害のない洗剤であっても、溶液内に手を突っ込んで例えばフック孔５を摘まんで引き上げるようなことをすると、排水口６並びにドレン内の空気が吹き上がって水を飛び散らす現象が起こりうるので避けるべきである。
【００２３】
そこで図４に示すように、水位より充分に長い棒９を、排水口６を塞いでいるシンクの排水口用蓋１のプレート２の肉薄に形成した周端部３部分に静かに差し込めば、周端部３部分はシリコン等の軟質合成樹脂製であるので簡単に弾性変形し、プレート２下面と排水口６との間に間隙が形成されるので、プレート２に手を触れることなく徐々に少しずつ溶液を排水することができるのである。この周端部３の弾性変形形態が維持されて間隙がそのまま存続し、弾性復帰しないのであれば、溶液にできるだけ触れないようにするためにも棒９を抜いても良い。
【００２４】
排水が終了したらシンクの排水口用蓋１をよくすすぎ、フック孔５をひっかけて乾燥させることになる。
【００２５】
また、補強用の肉厚部４は十文字状に限定するものではなく、図５(ａ)の五本放射状、図５(ｂ)の八本放射状等、肉薄な周端部３が残存形成される限り、いかなる形態であっても良い。
【符号の説明】
【００２６】
１  シンクの排水口用蓋
２  プレート
３  周端部
４  肉厚部
５  フック孔
６  シンク
７  凹部
８  排水口
９  棒
【図１】
0003230140.tif 000003
【図２】
0003230140.tif 000004
【図３】
0003230140.tif 000005
【図４】
0003230140.tif 000006
【図５】
0003230140.tif 000007